【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザ装置（ＵＥ）性能のインジケーションを送信することと、ここにおいて、前記ＵＥ性能は、ＵＥの少なくともアップリンク（ＵＬ）キャリアアグリゲーション（ＣＡ）性能を含む、
ＣＡ構成および補助的なＵＬ構成を受信することと、前記ＣＡ構成は、ＵＬデータ送信のために構成された１つまたは複数のキャリアを備え、前記補助的なＵＬ構成は、ＵＬ基準信号送信のために構成された１つまたは複数のキャリアを備え、ここにおいて、前記ＣＡ構成は、前記ＵＥ性能に基づき、前記補助的なＵＬ構成は、前記ＣＡ構成および前記ＵＥ性能に基づく、
前記補助的なＵＬ構成の前記１つまたは複数のキャリアを使用して、サウンディング基準信号（ＳＲＳ）を送信することと、
前記送信されたＳＲＳまたは前記ＳＲＳのロケーション、あるいはその両方に少なくとも部分的に基づいて、１つまたは複数のスイッチングシンボルを識別することと、
前記１つまたは複数のスイッチングシンボルに少なくとも部分的に基づいて、ＵＬデータ送信をレートマッチまたはパンクチャすることと、
前記１つまたは複数のスイッチングシンボルの後のシンボル期間の間に前記ＵＬデータ送信を開始することと、
を備える、方法。
【請求項２】
前記１つまたは複数のスイッチングシンボルは、サブフレームにおける、前記ＳＲＳを備えるシンボルの、前記サブフレームの他のシンボルに対するロケーションに少なくとも部分的に基づいて識別される、または
前記ＵＥ性能の前記インジケーションは、前記ＵＥがコンポーネントキャリア間でスイッチすることが可能であるスイッチング時間のインジケーションを備え、前記１つまたは複数のスイッチングシンボルは、前記スイッチング時間に少なくとも部分的に基づく、
のいずれかである、請求項１に記載の方法。
【請求項３】
ＵＬデータ送信のために構成された前記１つまたは複数のキャリアは、
時分割複信（ＴＤＤ）のために構成された少なくとも１つのキャリア、または
第１のタイミング調節グループ（ＴＡＧ）のキャリア、およびＵＬ基準信号のために構成された前記１つまたは複数のキャリアは、第２のＴＡＧのキャリアを備える、
のいずれかを備える、請求項１に記載の方法。
【請求項４】
追加的なＳＲＳを送信すること、ここにおいて、前記ＳＲＳは、第１のセットのアンテナを使用して送信され、前記追加的なＳＲＳは、第２のセットのアンテナを使用して送信される、
をさらに備える、請求項１に記載の方法。
【請求項５】
前記第１のセットのアンテナは、前記ＳＲＳのために使用される前記１つまたは複数のキャリア上での送信のために選択され、前記第２のセットのアンテナは、前記追加的なＳＲＳのために使用される追加的なキャリア上での送信のために選択される、請求項４に記載の方法。
【請求項６】
前記ＳＲＳは、周期的なＳＲＳまたは非周期的なＳＲＳであり、および前記追加的なＳＲＳは、周期的なＳＲＳまたは非周期的なＳＲＳであり、ここにおいて、前記第１のセットのアンテナは、前記ＳＲＳが前記周期的なＳＲＳであることに少なくとも部分的に基づいて選択され、前記第２のセットのアンテナは、前記追加的なＳＲＳが前記非周期的なＳＲＳであることに少なくとも部分的に基づいて選択される、請求項４に記載の方法。
【請求項７】
無線リソース制御（ＲＲＣ）シグナリングまたはダウンリンク制御情報（ＤＣＩ）を受信することをさらに備え、ここにおいて、前記第１のセットのアンテナまたは前記第２のセットのアンテナは、前記ＲＲＣシグナリングまたは前記ＤＣＩに少なくとも部分的に基づいて選択される、請求項６に記載の方法。
【請求項８】
前記補助的なＵＬ構成の前記１つまたは複数のキャリア上で、物理ランダムアクセスチャネル（ＰＲＡＣＨ）メッセージを送信すること、または
第２のタイミング調節グループ（ＴＡＧ）に関する第２の補助的な構成を受信すること、ここにおいて、前記補助的なＵＬ構成は、第１のＴＡＧに関連する、
をさらに備える、請求項１に記載の方法。
【請求項９】
前記補助的なＵＬ構成は、前記ＣＡ構成とは異なる、または、前記ＣＡ構成は、デュアルコネクティビティ構成の一部である、請求項１に記載の方法。
【請求項１０】
ワイヤレス通信のための方法であって、
ユーザ装置（ＵＥ）性能のインジケーションを受信することと、ここにおいて、前記ＵＥ性能は、ＵＥの少なくともアップリンク（ＵＬ）キャリアアグリゲーション（ＣＡ）性能を含む、
前記ＵＥのためのＣＡ構成および補助的なＵＬ構成を送信することと、前記ＣＡ構成は、前記ＵＥによるＵＬデータ送信のために構成された１つまたは複数のキャリアを備え、前記補助的なＵＬ構成は、前記ＵＥによるＵＬ基準信号送信のために構成された１つまたは複数のキャリアを備え、ここにおいて、前記補助的なＵＬ構成は、前記ＣＡ構成および前記インジケーションに基づく、
前記ＣＡ構成および前記ＵＥ性能に基づいて、前記補助的なＵＬ構成の前記１つまたは複数のキャリアを使用して、サウンディング基準信号（ＳＲＳ）を受信することと、
前記ＳＲＳに少なくとも部分的に基づいて、１つまたは複数のスイッチングシンボルを識別することと、
前記１つまたは複数のスイッチングシンボルの後のシンボル期間の間に、前記ＵＥからＵＬデータ送信を受信することと、
を備える、方法。
【請求項１１】
前記ＣＡ構成は、ダウンリンク（ＤＬ）送信のために構成された第１の数のキャリアを備え、前記第１の数は、ＵＬデータ送信のために構成された前記１つまたは複数のキャリアの第２の数よりも大きい、請求項１または１０に記載の方法。
【請求項１２】
前記ＵＥ性能の前記インジケーションは、スイッチング時間のインジケーションを備え、前記１つまたは複数のスイッチングシンボルは、前記スイッチング時間に少なくとも部分的に基づく、請求項１０に記載の方法。
【請求項１３】
前記補助的なＵＬ構成の１つまたは複数のキャリア上で、前記ＵＥから、物理ランダムアクセスチャネル（ＰＲＡＣＨ）メッセージを受信すること、または
第２のタイミング調節グループ（ＴＡＧ）に関する第２の補助的な構成を送信すること、ここにおいて、前記補助的なＵＬ構成は、第１のＴＡＧに関連する、
をさらに備える、請求項１０に記載の方法。
【請求項１４】
ワイヤレス通信のためのモバイルデバイスであって、
モバイルデバイス性能のインジケーションを送信するための手段と、ここにおいて、前記モバイルデバイス性能は、前記モバイルデバイスの少なくともアップリンク（ＵＬ）キャリアアグリゲーション（ＣＡ）性能を含む、
キャリアアグリゲーション（ＣＡ）構成および補助的なＵＬ構成を受信するための手段と、前記ＣＡ構成は、ＵＬデータ送信のために構成された１つまたは複数のキャリアを備え、前記補助的なＵＬ構成は、ＵＬ基準信号送信のために構成された１つまたは複数のキャリアを備える、
前記ＣＡ構成および前記モバイルデバイス性能に基づいて、前記補助的なＵＬ構成の前記１つまたは複数のキャリア上で、サウンディング基準信号（ＳＲＳ）を送信するための手段と、
前記送信されたＳＲＳまたは前記ＳＲＳのロケーション、あるいはその両方に少なくとも部分的に基づいて、１つまたは複数のスイッチングシンボルを識別するための手段と、 前記１つまたは複数のスイッチングシンボルに少なくとも部分的に基づいて、ＵＬデータ送信をレートマッチまたはパンクチャするための手段と、
前記１つまたは複数のスイッチングシンボルの後のシンボル期間の間に、前記ＵＬデータ送信を開始するための手段と、
を備える、モバイルデバイス。
【請求項１５】
ワイヤレス通信のためのネットワークデバイスであって、
ユーザ装置（ＵＥ）性能のインジケーションを受信するための手段と、ここにおいて、前記ＵＥ性能は、ＵＥの少なくともアップリンク（ＵＬ）キャリアアグリゲーション（ＣＡ）性能を含む、
前記ＵＥのためのキャリアアグリゲーション（ＣＡ）構成および補助的なＵＬ構成を送信するための手段と、前記ＣＡ構成は、ＵＬデータ送信のために構成された１つまたは複数のキャリアを備え、前記補助的なＵＬ構成は、ＵＬ基準信号送信のために構成された１つまたは複数のキャリアを備える、
前記ＣＡ構成および前記ＵＥ性能に基づいて、前記補助的なＵＬ構成の前記１つまたは複数のキャリア上で、サウンディング基準信号（ＳＲＳ）を受信するための手段と、
前記ＳＲＳに少なくとも部分的に基づいて、１つまたは複数のスイッチングシンボルを識別するための手段と、
前記１つまたは複数のスイッチングシンボルの後のシンボル期間の間に、前記ＵＥからＵＬデータ送信を受信するための手段と、
を備える、ネットワークデバイス。
【手続補正２】
【補正対象書類名】明細書
【補正対象項目名】０１６２
【補正方法】変更
【補正の内容】
【０１６２】
[0170]  添付の図面では、同様のコンポーネントまたは特徴は、同じ参照ラベルを有し得る。さらに、同じタイプの様々なコンポーネントは、参照ラベルの後にダッシュと同様のコンポーネント同士を区別する第２のラベルとを続けることによって、区別され得る。明細書において単に第１の参照ラベルだけが使用される場合、その説明は、第２の参照ラベルに関係なく、同じ第１の参照ラベルを有する同様のコンポーネントのうちのいずれのものにも適用可能である。
以下に本願の出願当初の特許請求の範囲に記載された発明を付記する。
［Ｃ１］  ワイヤレス通信のための方法であって、
ユーザ装置（ＵＥ）性能のインジケーションを送信することと、
キャリアアグリゲーション（ＣＡ）構成および補助的なＵＬ構成を受信することと、前記ＣＡ構成は、ＵＬデータ送信のために構成された１つまたは複数のキャリアを備え、前記補助的なＵＬ構成は、ＵＬ基準信号送信のために構成された１つまたは複数のキャリアを備える、
前記ＣＡ構成および前記ＵＥ性能に基づいて、前記補助的なＵＬ構成の前記１つまたは複数のキャリアを使用して、サウンディング基準信号（ＳＲＳ）を送信することと、
を備える、方法。
［Ｃ２］  前記ＣＡ構成は、ダウンリンク（ＤＬ）送信のために構成された第１の数のキャリアを備え、前記第１の数は、ＵＬデータ送信のために構成された前記１つまたは複数のキャリアの第２の数よりも大きい、Ｃ１に記載の方法。
［Ｃ３］  前記送信されたＳＲＳまたは前記ＳＲＳのロケーション、あるいはその両方に少なくとも部分的に基づいて、１つまたは複数のスイッチングシンボルを識別することと、
前記１つまたは複数のスイッチングシンボルに少なくとも部分的に基づいて、ＵＬデータ送信をレートマッチまたはパンクチャすることと、
前記１つまたは複数のスイッチングシンボルの後のシンボル期間の間に前記ＵＬデータ送信を開始することと、
をさらに備える、Ｃ１に記載の方法。
［Ｃ４］  前記１つまたは複数のスイッチングシンボルは、サブフレームにおける、前記ＳＲＳを備えるシンボルの、前記サブフレームの他のシンボルに対するロケーションに少なくとも部分的に基づいて識別される、Ｃ３に記載の方法。
［Ｃ５］  前記ＵＥ性能の前記インジケーションは、スイッチング時間のインジケーションを備え、前記１つまたは複数のスイッチングシンボルは、前記スイッチング時間に少なくとも部分的に基づく、Ｃ３に記載の方法。
［Ｃ６］  前記ＳＲＳと同じ送信時間間隔（ＴＴＩ）の間に、ＵＬデータ送信のために構成された前記１つまたは複数のキャリア上で、ＵＬデータ送信を送信すること、
をさらに備える、Ｃ１に記載の方法。
［Ｃ７］  ＵＬデータ送信のために構成された前記１つまたは複数のキャリアは、時分割複信（ＴＤＤ）のために構成された少なくとも１つのキャリアを備える、Ｃ１に記載の方法。
［Ｃ８］  追加的なＳＲＳを送信すること、ここにおいて、前記ＳＲＳは、第１のセットのアンテナを使用して送信され、前記追加的なＳＲＳは、第２のセットのアンテナを使用して送信される、
をさらに備える、Ｃ１に記載の方法。
［Ｃ９］  前記第１のセットのアンテナは、前記ＳＲＳのために使用される前記１つまたは複数のキャリア上での送信のために選択され、前記第２のセットのアンテナは、前記追加的なＳＲＳのために使用される追加的なキャリア上での送信のために選択される、Ｃ８に記載の方法。
［Ｃ１０］  前記ＳＲＳは、周期的なＳＲＳまたは非周期的なＳＲＳであり、および前記追加的なＳＲＳは、周期的なＳＲＳまたは非周期的なＳＲＳであり、ここにおいて、前記第１のセットのアンテナは、前記ＳＲＳが前記周期的なＳＲＳであることに少なくとも部分的に基づいて選択され、前記第２のセットのアンテナは、前記追加的なＳＲＳが前記非周期的なＳＲＳであることに少なくとも部分的に基づいて選択される、Ｃ８に記載の方法。
［Ｃ１１］  無線リソース制御（ＲＲＣ）シグナリングまたはダウンリンク制御情報（ＤＣＩ）を受信すること、ここにおいて、前記第１のセットのアンテナまたは前記第２のセットのアンテナは、前記ＲＲＣシグナリングまたは前記ＤＣＩに少なくとも部分的に基づいて選択される、
をさらに備える、Ｃ１０に記載の方法。
［Ｃ１２］  前記補助的なＵＬ構成の前記１つまたは複数のキャリア上で、物理ランダムアクセスチャネル（ＰＲＡＣＨ）メッセージを送信すること、
をさらに備える、Ｃ１に記載の方法。
［Ｃ１３］  第２のタイミング調節グループ（ＴＡＧ）に関する第２の補助的な構成を受信すること、ここにおいて、前記補助的なＵＬ構成は、第１のＴＡＧに関連する、
をさらに備える、Ｃ１に記載の方法。
［Ｃ１４］  前記ＣＡ構成は、前記補助的なＵＬ構成を備える、Ｃ１に記載の方法。
［Ｃ１５］  前記補助的なＵＬ構成は、前記ＣＡ構成とは異なる、Ｃ１に記載の方法。
［Ｃ１６］  前記ＣＡ構成は、デュアルコネクティビティ構成の一部である、Ｃ１に記載の方法。
［Ｃ１７］  ＵＬデータ送信のために構成された前記１つまたは複数のキャリアは、第１のタイミング調節グループ（ＴＡＧ）のキャリアを備え、ＵＬ基準信号のために構成された前記１つまたは複数のキャリアは、第２のＴＡＧのキャリアを備える、Ｃ１に記載の方法。
［Ｃ１８］  ワイヤレス通信のための方法であって、
ユーザ装置（ＵＥ）性能のインジケーションを受信することと、
前記ＵＥのためのキャリアアグリゲーション（ＣＡ）構成および補助的なＵＬ構成を送信することと、前記ＣＡ構成は、前記ＵＥによるＵＬデータ送信のために構成された１つまたは複数のキャリアを備え、前記補助的なＵＬ構成は、前記ＵＥによるＵＬ基準信号送信のために構成された１つまたは複数のキャリアを備える、
前記ＣＡ構成および前記ＵＥ性能に基づいて、前記補助的なＵＬ構成の前記１つまたは複数のキャリアを使用して、サウンディング基準信号（ＳＲＳ）を受信することと、
を備える、方法。
［Ｃ１９］  前記ＣＡ構成は、ダウンリンク（ＤＬ）送信のために構成された第１の数のキャリアを備え、前記第１の数は、ＵＬデータ送信のために構成された前記１つまたは複数のキャリアの第２の数よりも大きい、Ｃ１８に記載の方法。
［Ｃ２０］  ＵＬデータ送信のために構成された前記１つまたは複数のキャリア上で、ＵＬデータ送信を受信すること、ここにおいて、前記ＵＬデータは、前記ＳＲＳと同じ送信時間間隔（ＴＴＩ）の間に受信される、
をさらに備える、Ｃ１８に記載の方法。
［Ｃ２１］  前記ＳＲＳに少なくとも部分的に基づいて、１つまたは複数のスイッチングシンボルを識別することと、
前記１つまたは複数のスイッチングシンボルの後のシンボル期間の間に、ＵＥからＵＬデータ送信を受信することと、
をさらに備える、Ｃ１８に記載の方法。
［Ｃ２２］  前記ＵＥ性能の前記インジケーションは、スイッチング時間のインジケーションを備え、前記１つまたは複数のスイッチングシンボルは、前記スイッチング時間に少なくとも部分的に基づく、Ｃ２１に記載の方法。
［Ｃ２３］  前記補助的なＵＬ構成の１つまたは複数のキャリア上で、前記ＵＥから、物理ランダムアクセスチャネル（ＰＲＡＣＨ）メッセージを受信すること、
をさらに備える、Ｃ１８に記載の方法。
［Ｃ２４］  第２のタイミング調節グループ（ＴＡＧ）に関する第２の補助的な構成を送信すること、ここにおいて、前記補助的なＵＬ構成は、第１のＴＡＧに関連する、
をさらに備える、Ｃ１８に記載の方法。
［Ｃ２５］  ワイヤレス通信のためのモバイルデバイスであって、
モバイルデバイス性能のインジケーションを送信するための手段と、
キャリアアグリゲーション（ＣＡ）構成および補助的なＵＬ構成を受信するための手段と、前記ＣＡ構成は、ＵＬデータ送信のために構成された１つまたは複数のキャリアを備え、前記補助的なＵＬ構成は、ＵＬ基準信号送信のために構成された１つまたは複数のキャリアを備える、
前記ＣＡ構成および前記モバイルデバイス性能に基づいて、前記補助的なＵＬ構成の前記１つまたは複数のキャリア上で、サウンディング基準信号（ＳＲＳ）を送信するための手段と、
を備える、モバイルデバイス。
［Ｃ２６］  前記ＣＡ構成は、ダウンリンク（ＤＬ）送信のために構成された第１の数のキャリアを備え、前記第１の数は、ＵＬデータ送信のために構成された前記１つまたは複数のキャリアの第２の数よりも大きい、Ｃ２５に記載のモバイルデバイス。
［Ｃ２７］  前記送信されたＳＲＳまたは前記ＳＲＳのロケーション、あるいはその両方に少なくとも部分的に基づいて、１つまたは複数のスイッチングシンボルを識別するための手段と、  前記１つまたは複数のスイッチングシンボルに少なくとも部分的に基づいて、ＵＬデータ送信をレートマッチまたはパンクチャするための手段と、
前記１つまたは複数のスイッチングシンボルの後のシンボル期間の間に、前記ＵＬデータ送信を開始するための手段と、
をさらに備える、Ｃ２５に記載のモバイルデバイス。
［Ｃ２８］  前記ＳＲＳと同じ送信時間間隔（ＴＴＩ）の間に、ＵＬデータ送信のために構成された前記１つまたは複数のキャリア上で、ＵＬデータ送信を送信するための手段、
をさらに備える、Ｃ２５に記載のモバイルデバイス。
［Ｃ２９］  ワイヤレス通信のためのネットワークデバイスであって、
ユーザ装置（ＵＥ）性能のインジケーションを受信するための手段と、
前記ＵＥのためのキャリアアグリゲーション（ＣＡ）構成および補助的なＵＬ構成を送信するための手段と、前記ＣＡ構成は、ＵＬデータ送信のために構成された１つまたは複数のキャリアを備え、前記補助的なＵＬ構成は、ＵＬ基準信号送信のために構成された１つまたは複数のキャリアを備える、
前記ＣＡ構成および前記ＵＥ性能に基づいて、前記補助的なＵＬ構成の前記１つまたは複数のキャリア上で、サウンディング基準信号（ＳＲＳ）を受信するための手段と、
を備える、ネットワークデバイス。
［Ｃ３０］  前記ＣＡ構成は、ダウンリンク（ＤＬ）送信のために構成された第１の数のキャリアを備え、前記第１の数は、ＵＬデータ送信のために構成された前記１つまたは複数のキャリアの第２の数よりも大きい、Ｃ２９に記載のネットワークデバイス。